(57)【要約】【課題】  酸素富化膜を有する酸素富化装置及びそれを備えた空気調和装置において、ファンによる気流を利用することなく、酸素富化膜の１次側空間内の空気置換を可能にする。【解決手段】  酸素富化ユニット６は、酸素富化膜モジュール６１と、真空ポンプ６５とを備えている。酸素富化膜モジュール６１は、モジュールケーシング６２と、モジュールケーシング６２内の空間を１次側空間Ｓ１と２次側空間Ｓ２とに分割するようにモジュールケーシング６２内に配置され空気中の酸素を選択的に透過することが可能な酸素富化膜６３とを有している。真空ポンプ６５は、１次側空間Ｓ１から空気を２次側空間Ｓ２に吸入する。この酸素富化ユニット６は、真空ポンプ６５を間欠的に運転することによって、真空ポンプ６５から排出される酸素富化空気を室内に供給することを特徴としている。【選択図】      図２
2005230590.tif 000002
【特許請求の範囲】
【請求項１】
ケーシング（６２）と、前記ケーシング内の空間を１次側空間（Ｓ１）と２次側空間（Ｓ２）とに分割するように前記ケーシング内に配置され空気中の酸素を選択的に透過することが可能な酸素富化膜（６３）とを有する酸素富化膜モジュール（６１）と、
前記１次側空間から空気を前記２次側空間に吸入するための減圧ポンプ（６５）とを備え、
前記減圧ポンプを間欠的に運転することによって、前記減圧ポンプから排出される酸素富化空気を室内に供給することを特徴とする、
酸素富化装置（６、１０６）。
【請求項２】
室外冷媒ユニット（４）と、
前記室外冷媒ユニットに冷媒配管（７）を介して接続される室内ユニット（２）と、
室外に配置された請求項１に記載の酸素富化装置（６、１０６）と、
を備えた空気調和装置（１、１０１、２０１）。
【発明の詳細な説明】
【技術分野】
【０００１】
本発明は、酸素富化装置及びそれを備えた空気調和装置、特に、室内の酸素富化を行うための酸素富化装置及びそれを備えた空気調和装置に関する。
【背景技術】
【０００２】
従来から、酸素富化膜によって酸素富化空気を得ることが可能な酸素富化装置を備えた空気調和装置がある。このような空気調和装置は、室外冷媒ユニットと、室内ユニットと、これらのユニット間を接続するための冷媒配管とを備えており、主として、室内の冷暖房を行っている。酸素富化装置は、室外に配置されており、主として、室外空気から酸素富化空気を得ることができる酸素富化膜モジュールと、酸素富化膜モジュールで得られた酸素富化空気を室内に供給する減圧ポンプとから構成されている。酸素富化膜モジュールは、主として、モジュールケーシングと、モジュールケーシング内の空間を１次側空間と２次側空間とに分割するようにモジュールケーシング内に配置された酸素富化膜とから構成されている。減圧ポンプは、モジュールケーシングの２次側空間に接続されている。酸素富化膜モジュールの酸素富化膜は、減圧ポンプを運転することによって２次側空間の圧力を１次側空間の圧力よりも低くすると、１次側空間内の空気中の酸素を選択的に透過して、２次側空間に酸素富化空気を生成させることが可能な気体分離膜である。このような酸素富化装置を備えた空気調和装置では、室内を冷暖房するとともに、冷暖房運転によって締め切られた室内を酸素富化することが可能である（例えば、特許文献１〜５参照。）。
【特許文献１】特開平３−７５４２３号公報
【特許文献２】特開平３−２１７７３１号公報
【特許文献３】特公平７−３０９２７号公報
【特許文献４】特公平７−１０９３１３号公報
【特許文献５】特開２００２−３９５６９号公報
【発明の開示】
【発明が解決しようとする課題】
【０００３】
酸素富化膜モジュールに内蔵された酸素富化膜の性能は、１次側空間内における空気中の酸素分圧が大きく影響し、１次側空間内における酸素分圧が高い場合には２次側空間へ透過する酸素量が増加し、酸素分圧が低い場合には２次側空間へ透過する酸素量が減少する傾向にある。このため、１次側空間内の空気が置換されない場合には、１次側空間内の酸素分圧が低下して２次側空間へ透過する酸素量が低下してしまい、結果的に、室内に供給される酸素富化空気中の酸素濃度が低下してしまうという問題が生じることになる。
【０００４】
このため、上記従来の酸素富化装置では、酸素富化装置が室外冷媒ユニットとともに室外ユニットを構成する場合には、室外ユニットの室外ファンの運転によって生成される気流を酸素富化モジュールの１次側空間内に導入できるように酸素富化モジュールを配置している。
しかし、室外ファンの運転によって生成される気流を酸素富化モジュールの１次側空間に導入できるように機器配置を変更すると、室外ユニット全体の内部機器のレイアウトの変更が必要になったり、コストが増加するという問題が生じてしまう。このため、ファンの気流を利用することなく、酸素富化膜の１次側空間内の空気置換を可能にできれば、酸素富化膜モジュールの設置場所の制約が生じにくくなり、室外ユニット全体の内部機器のレイアウトの変更やコスト増加という問題が生じなくなる。
【０００５】
本発明の課題は、酸素富化膜を有する酸素富化装置及びそれを備えた空気調和装置において、ファンによる気流を利用することなく、酸素富化膜の１次側空間内の空気置換を可能にすることにある。
【課題を解決するための手段】
【０００６】
請求項１に記載の酸素富化装置は、酸素富化膜モジュールと、減圧ポンプとを備えている。酸素富化膜モジュールは、ケーシングと、ケーシング内の空間を１次側空間と２次側空間とに分割するようにケーシング内に配置され空気中の酸素を選択的に透過することが可能な酸素富化膜とを有している。減圧ポンプは、１次側空間から空気を２次側空間に吸入する。この酸素富化装置は、減圧ポンプを間欠的に運転することによって、減圧ポンプから排出される酸素富化空気を室内に供給することを特徴としている。
【０００７】
この酸素富化装置では、減圧ポンプを間欠的に運転することにより、酸素富化膜モジュール内において、以下のような空気の流れが生じる。
まず、減圧ポンプの運転時には、２次側空間の圧力が低下するため、１次側空間と２次側空間との差圧に応じて空気が酸素富化膜を介して１次側空間から２次側空間に透過する。ここで、酸素富化膜は、酸素選択性が高いため、２次側空間に所定の酸素濃度の酸素富化空気が生成される。この酸素富化空気は、減圧ポンプから排出されて室内に供給される。このとき、１次側空間には、酸素富化膜を介して２次側空間に透過した酸素量に応じてケーシングの外部から空気が導入されることとなる。しかし、外部から導入される空気中の酸素濃度は一定であり、かつ、１次側空間内の空気中の酸素濃度は徐々に低下（特に、酸素富化膜の１次側空間側の表面の酸素濃度が低下し、窒素濃度が増加）するため、結果的に、減圧ポンプの運転中においては、１次側空間内の酸素濃度が徐々に低下し、室内に供給される酸素富化空気中の酸素濃度が徐々に低下することとなる。
【０００８】
次に、減圧ポンプを停止すると、酸素富化膜を介して１次側空間から２次側空間に向かって空気が吸入される作用がなくなり、２次側空間内の圧力が１次側空間内の圧力と同じ圧力まで増加し、室内に酸素富化空気が供給されなくなる。ここで、減圧ポンプの停止直後において、１次側空間内の空気中の酸素濃度は、ケーシングの外部の空気中の酸素濃度よりも低くなっているため、ケーシングの外部の空気と１次側空間内の空気との間の酸素濃度差による濃度拡散や空気密度差による自然対流により、１次側空間内の空気の置換が行われることになる。これにより、１次側空間内の空気中の酸素濃度が増加するため、再度、減圧ポンプの運転を行うことによって、上記の減圧ポンプ運転時と同様に、室内に所定の酸素濃度の酸素富化空気が供給される。このような減圧ポンプの間欠運転を行うことによって、時間平均で見れば、安定的に所定の酸素濃度の酸素富化空気を供給することができる。
【０００９】
これにより、ファンによる気流を利用することなく、酸素富化膜の１次側空間内の空気置換を可能にすることができるようになるため、コストの増加や設置場所の制約が生じにくくなる。
請求項２に記載の空気調和装置は、室外冷媒ユニットと、室外冷媒ユニットに接続される室内ユニットと、室外に配置された請求項１に記載の酸素富化装置とを備えている。
【００１０】
この空気調和装置では、室内を冷暖房等の空気調和運転を行うとともに、空気調和運転によって締め切られた室内を酸素富化することができる。また、この空気調和装置を構成する酸素富化装置は、ファンによる気流を利用することなく、酸素富化膜の１次側空間内の空気置換を可能にすることができるように構成されているため、酸素富化装置を室外冷媒ユニット内に組み込んだり、室外冷媒ユニットの近傍に設置する際の自由度が高くなる。
【発明の効果】
【００１１】
以上の説明に述べたように、本発明によれば、以下の効果が得られる。
請求項１にかかる発明では、減圧ポンプを間欠的に運転することにより、ファンによる気流を利用することなく、酸素富化膜の１次側空間内の空気置換を可能にすることができるようになるため、コストの増加や設置場所の制約が生じにくくなる。
請求項２にかかる発明では、室内を冷暖房等の空気調和運転を行うとともに、空気調和運転によって締め切られた室内を酸素富化することができる。また、酸素富化装置を室外冷媒ユニット内に組み込んだり、室外冷媒ユニットの近傍に設置する際の自由度が高くなる。
【発明を実施するための最良の形態】
【００１２】
以下、図面に基づいて、本発明にかかる空気調和装置の実施形態について説明する。
［第１実施形態］
（１）空気調和装置の概略構成
図１は、本発明の第１実施形態が採用された空気調和装置１の外観図である。
この空気調和装置１は、室内の壁面Ｕなどに取り付けられる室内ユニット２と、室外に設置される室外ユニット３とに分かれて構成されている。室外ユニット３は、室外冷媒ユニット４と、酸素富化ユニット６（酸素富化装置）とを備えている。室内ユニット２と室外ユニット３とは、冷媒配管７を介して両ユニットの冷媒回路同士が接続されている。また、室内ユニット２と室外ユニット３とは、酸素富化ユニット６からの酸素富化空気を室内ユニット２側に供給するときに使用される酸素富化空気供給管９によって接続されている。尚、本実施形態において、酸素富化ユニット６は、室外冷媒ユニット４の上側に重ねられるように配置されており、室外ユニット３全体の設置スペースが大きくならないようになっている。また、酸素富化空気供給管９は、酸素富化ユニット６の側面、前面、背面等に接続されており、室内の壁面Ｗを貫通して室内ユニット２に接続されている。
【００１３】
（２）各ユニット内の機器配置及び冷媒回路の構成
図２は、本発明の第１実施形態が採用された空気調和装置１の室内ユニット２内及び室外ユニット３内の各機器の配置を示す図である。図３は、空気調和装置１の冷媒回路の概略構成図及び酸素富化ユニット６の概略構成図である。
室内ユニット２には、室内熱交換器１１が設けられている。この室内熱交換器１１は、複数本のヘアピン形状の管を接続して構成される伝熱管と、伝熱管が挿通される複数のフィンとからなるクロスフィンチューブ型の熱交換器パネルであり、冷媒配管７を介して室内熱交換器１１に供給されて伝熱管内を流れる冷媒と伝熱管及びフィンに接触する空気との間で熱交換を行う。また、室内ユニット２内には、室内ファン１２と、室内ファン１２を回転駆動する室内ファンモータ１３とが設けられている。室内ファン１２は、周面に多数の羽根が設けられた円筒形状のクロスフローファンであり、回転軸と交わる方向に空気流を生成する。この室内ファン１２は、室内空気を室内ユニット２内に吸入させるとともに、室内熱交換器１１の伝熱管内を流れる冷媒との間で熱交換を行った後の空気を室内に吹き出す。さらに、室内ユニット２内には、酸素富化空気供給管９の管端部が挿入されており、酸素富化ユニット６から供給される酸素富化空気が室内ユニット２内に一旦吹き出された後、室内から吸入された空気とともに室内ファン１２によって室内に吹き出されるようになっている。
【００１４】
室外冷媒ユニット４には、圧縮機２１と、圧縮機２１の吐出側に接続される四路切換弁２２と、圧縮機２１の吸入側に接続されるアキュムレータ２３と、四路切換弁２２に接続された室外熱交換器２４と、室外熱交換器２４に接続された電動膨張弁２５とが設けられている。室外熱交換器２４は、複数本のヘアピン形状の管を接続して構成される伝熱管と、伝熱管が挿通される複数のフィンとからなるクロスフィンチューブ型の熱交換器パネルであり、室外冷媒ユニット４の背面及び側面に近接するように配置されている。電動膨張弁２５は、フィルタ２６および液閉鎖弁２７を介して液側連絡配管３２に接続されており、この液側連絡配管３２を介して室内熱交換器１１の一端に接続されている。また、四路切換弁２２は、ガス閉鎖弁２８を介してガス側連絡配管３１に接続されており、このガス側連絡配管３１を介して室内熱交換器１１の他端に接続されている。これらの連絡配管３１、３２は、図１及び図２の冷媒配管７に相当する。また、室外冷媒ユニット４内には、室外熱交換器２４で熱交換された後の空気を外部に排出するために、室外冷媒ユニット４の背面及び側面から空気を内部に取り込んで前面に向かって吹き出す室外ファン２９が設けられている。この室外ファン２９は、室外ファンモータ３０によって回転駆動されるプロペラファンである。
【００１５】
（３）酸素富化ユニットの構成
次に、酸素富化ユニット６の内部の構成について図２及び図３に基づいて説明する。
酸素富化ユニット６は、室外冷媒ユニット４の上側に位置する酸素富化ユニットケーシングを備えており、その内部に、酸素富化膜モジュール６１、真空ポンプ６５（減圧ポンプ）、真空ポンプ６５の出口に接続された酸素富化空気供給流路６７などが配置されている。
【００１６】
酸素富化膜モジュール６１は、主に、モジュールケーシング６２と、モジュールケーシング６２内の空間を１次側空間Ｓ１と２次側空間Ｓ２とに分割するようにモジュールケーシング６２内に配置された酸素富化膜６３とを有している。酸素富化膜６３は、空気中の酸素及び水を透過しやすく、かつ、窒素を透過しにくい性質、言い換えれば、酸素及び水を選択的に透過する性質を有している。
【００１７】
１次側空間Ｓ１は、酸素富化ユニット６の外部に向かって開口した空気出入口流路６８を介して大気に連通されている。ここで、本実施形態の酸素富化ユニット６は、１次側空間Ｓ１内の空気を置換するためのファン等の送風手段を備えておらず、また、室外冷媒ユニット４の室外ファン２９等の送風手段によって送風される空気を利用して１次側空間Ｓ１内の空気を置換できるように構成されてもいない。このため、空気出入口流路６８は、１次側空間Ｓ１内の空気の置換を促進するためにできるだけ大きな開口面積を有することが望ましい。また、空気出入口流路６８と１次側空間Ｓ１までの距離は、１次側空間Ｓ１内の空気の置換を促進するためにできるだけ短いことが望ましい。したがって、上記のような空気の置換を促進することができる配置を実現するために、１次側空間Ｓ１は、本実施形態のように、酸素富化ユニット６の外面（例えば、背面）に近接した位置に配置することが望ましい。
【００１８】
２次側空間Ｓ２には、１次側空間Ｓ１から酸素富化膜６３を透過して酸素濃度が増加した酸素富化空気を排出するための真空ポンプ６５が接続されている。
尚、図２においては、モジュールケーシング６２内に単１の酸素富化膜６３を配置して、１次側空間Ｓ１及び２次側空間Ｓ２を形成するような構成にしているが、これに限定されるものではなく、中空糸膜や板状膜等からなる酸素富化膜をモジュールケーシング内に複数配置することによって複数の１次側空間及び２次側空間を形成し、かつ、１次側空間同士又は２次側空間同士をそれぞれ連通させて、機能的に図２と同様な構成を有するようにしてもよい。
【００１９】
真空ポンプ６５は、酸素富化膜６３を介して１次側空間Ｓ１の空気を吸入し、２次側空間Ｓ２内の空気を酸素富化空気供給流路６７に排出するためのポンプである。真空ポンプ６５は、ポンプモータ６６により駆動されるようになっており、本実施形態において、酸素富化空気に潤滑油が混入しないように、オイルレスタイプのものが使用されている。そして、真空ポンプ６５を運転すると、酸素富化膜モジュール６１内において、１次側空間Ｓ１と２次側空間Ｓ２との間に圧力差が生じるため、酸素富化膜６３の１次側空間Ｓ１内の空気中の酸素が選択的に２次側空間Ｓ２に透過して酸素富化空気が得られる。この酸素富化空気は、真空ポンプ６５によって２次側空間Ｓ２から酸素富化空気供給流路６７に排出される。
【００２０】
酸素富化空気供給流路６７は、真空ポンプ６５によって酸素富化膜モジュール６１から排出された酸素富化空気を酸素富化空気供給管９に流入させるための流路である。
（５）空気調和装置の動作
次に、空気調和装置１の動作について、図２及び図３を用いて説明する。
＜冷媒回路の運転＞
まず、冷房運転について説明する。冷房運転時は、四路切換弁２２が図２の実線で示される状態、すなわち、圧縮機２１の吐出側が室外熱交換器２４のガス側に接続され、かつ、圧縮機２１の吸入側が室外熱交換器２４のガス側に接続された状態となっている。また、液閉鎖弁２７、ガス閉鎖弁２８及び電動膨張弁２５は、開状態になっている。
【００２１】
この冷媒回路の状態で、室外冷媒ユニット４の室外ファン２９、圧縮機２１及び室内ユニット２の室内ファン１２を起動すると、ガス冷媒は、圧縮機２１に吸入されて圧縮された後、四路切換弁２２を経由して室外熱交換器２４に送られて、室外空気を加熱して凝縮される。ここで、室外空気は、室外ファン２９の駆動によって、室外冷媒ユニット４の背面及び側面から室外冷媒ユニット４内に取り込まれ（図２の矢印Ｆ１参照）、室外熱交換器２４を横切った後、室外冷媒ユニット４の前面から排出されている（図２の矢印Ｆ２参照）。そして、凝縮した液冷媒は、電動膨張弁２５において減圧された後、液側連絡配管３２を経由して室内ユニット２に送られる。そして、室内ユニット２に送られた液冷媒は、室内熱交換器１１で室内空気を冷却して蒸発される。ここで、室内空気は、室内ファン１２の駆動によって、室内ユニット２内に取り込まれ（図２の矢印Ｆ３参照）、室内熱交換器１１を横切った後、室内ユニット２から室内に吹き出されている（図２の矢印Ｆ４参照）。そして、蒸発したガス冷媒は、ガス側連絡配管３１、四路切換弁２２及びアキュムレータ２３を経由して、再び、圧縮機２１に吸入される。このようにして、冷房運転が行われる。
【００２２】
次に、暖房運転について説明する。暖房運転時は、四路切換弁２２が図２の破線で示される状態、すなわち、圧縮機２１の吐出側が室外熱交換器２４のガス側に接続され、かつ、圧縮機２１の吸入側が室外熱交換器２４のガス側に接続された状態となっている。また、液閉鎖弁２７及びガス閉鎖弁２８は、開状態になっている。
この冷媒回路の状態で、室外冷媒ユニット４の室外ファン２９、圧縮機２１及び室内ユニット２の室内ファン１２を起動すると、ガス冷媒は、圧縮機２１に吸入されて圧縮された後、四路切換弁２２及びガス側連絡配管３１を経由して室内ユニット２に送られる。そして、室内ユニット２に送られたガス冷媒は、室内熱交換器１１で室内空気を加熱して凝縮される。この凝縮した液冷媒は、液側連絡配管３２を経由して室外冷媒ユニット４に送られる。そして、室外冷媒ユニット４に送られた液冷媒は、電動膨張弁２５で減圧された後、室外熱交換器２４で室外空気を冷却して蒸発される。この蒸発したガス冷媒は、四路切換弁２２及びアキュムレータ２３を経由して、再び、圧縮機２１に吸入される。このようにして、暖房運転が行われる。尚、室外空気及び室内空気の流れは、冷房運転時と同様であるため、説明を省略する。
【００２３】
＜酸素富化ユニットの運転＞
以下、酸素富化運転を行う場合の酸素富化ユニット６の動作について説明する。
この酸素富化ユニット６では、真空ポンプ６５を間欠的に運転することにより、酸素富化膜モジュール６１内において、以下のような空気の流れを生じさせて酸素富化空気を室内に供給する。
【００２４】
まず、真空ポンプ６５を運転すると、２次側空間Ｓ２の圧力が低下するため、１次側空間Ｓ１と２次側空間Ｓ２との間の差圧に応じて、空気が酸素富化膜６３を介して１次側空間Ｓ１から２次側空間Ｓ２に透過する。ここで、酸素富化膜６３は、酸素選択性が高いため、２次側空間Ｓ２に所定の酸素濃度（２５〜３０ｖｏｌ％程度）の酸素富化空気が生成される。この酸素富化空気は、真空ポンプ６５から排出されて酸素富化空気供給流路６７及び酸素富化空気供給管９を介して室内に供給される（図２の矢印Ｆ６及びＦ７参照）。このとき、１次側空間Ｓ１には、酸素富化膜６３を介して２次側空間Ｓ２に透過した酸素量に応じてモジュールケーシング６２の外部から空気出入口流路６８を介して空気が導入されることとなる（図２の矢印Ｆ８参照）。しかし、外部から導入される室外空気中の酸素濃度は一定（約２１ｖｏｌ％）であり、かつ、１次側空間Ｓ１内の空気中の酸素濃度は徐々に低下（特に、酸素富化膜６３の１次側空間Ｓ１側の表面の酸素濃度が低下して、窒素濃度が増加）するため、結果的に、真空ポンプ６５の運転中においては、１次側空間Ｓ１内の酸素濃度が徐々に低下し、室内に供給される酸素富化空気中の酸素濃度が徐々に低下することとなる。
【００２５】
次に、真空ポンプ６５を停止すると、酸素富化膜６３を介して１次側空間Ｓ１から２次側空間Ｓ２に向かって空気が吸入される作用がなくなり、２次側空間Ｓ２内の圧力が１次側空間Ｓ１内の圧力と同じ大気圧まで増加し、室内に酸素富化空気が供給されなくなる。ここで、真空ポンプ６５の停止直後において、１次側空間Ｓ１内の空気中の酸素濃度は、モジュールケーシング６２の外部の空気（すなわち、室外空気）中の酸素濃度よりも低くなっているため、室外空気と１次側空間Ｓ１内の空気との間の酸素濃度差による濃度拡散や空気密度差による自然対流により、１次側空間Ｓ１内の空気の置換が空気出入口流路６８を介して行われることになる（図２の矢印Ｆ９参照）。これにより、１次側空間Ｓ１内の空気中の酸素濃度が増加するため、再度、真空ポンプ６５の運転を行うことによって、上記の真空ポンプ６５の運転時と同様に、室内に所定の酸素濃度（２５〜３０ｖｏｌ％程度）の酸素富化空気が供給される。このような真空ポンプ６５の間欠運転を行うことによって、時間平均で見れば、安定的に酸素富化空気を供給することができる。
【００２６】
ここで、間欠運転の時間間隔は、１次側空間Ｓ１の容積等にも依存するが、数分から数十分程度に設定される。
これにより、従来のように室外ファン２９による気流を利用したり、別途ファンを設けることなく、酸素富化膜６３の１次側空間Ｓ１内の空気置換を可能にすることができるようになるため、酸素富化膜モジュール６１の設置場所の制約が少なくなり、本実施形態のように、室外冷媒ユニット４の上側という室外ファン２９による気流を利用しにくい場所であっても酸素富化膜モジュール６１を設置することができる。
【００２７】
［第２実施形態］
図４は、本発明の第２実施形態が採用された空気調和装置１０１の室外ユニット１０３内の各機器の配置を示す図である。
第１実施形態の空気調和装置１では、酸素富化ユニット６が室外冷媒ユニット４の上側に配置されているが、本実施形態の空気調和装置１０１では、酸素富化ユニット１０６が室外冷媒ユニット４の側方に配置されている点のみが異なる。尚、酸素富化ユニット１０６の機器構成は、第１実施形態の酸素富化ユニット６と同じであるため、説明を省略する。また、酸素富化ユニット１０６を含む空気調和装置１０１の運転についても、第１実施形態の空気調和装置１と同様であるため、説明を省略する。
【００２８】
このような構成であっても、従来のように室外ファン２９による気流を利用したり、別途ファンを設けることなく、酸素富化膜６３の１次側空間Ｓ１内の空気置換を可能にすることができる。
尚、本実施形態においても、空気出入口流路６８は、１次側空間Ｓ１内の空気の置換を促進するためにできるだけ大きな開口面積を有することが望ましい。また、空気出入口流路６８と１次側空間Ｓ１までの距離は、１次側空間Ｓ１内の空気の置換を促進するためにできるだけ短いことが望ましい。したがって、上記のような空気の置換を促進することができる配置を実現するために、１次側空間Ｓ１は、本実施形態のように、酸素富化ユニット１０６の外面（例えば、側面）に近接した位置に配置することが望ましい。
【００２９】
［他の実施形態］
以上、本発明の実施形態について図面に基づいて説明したが、具体的な構成は、これらの実施形態に限られるものではなく、発明の要旨を逸脱しない範囲で変更可能である。
前記実施形態では、室内の酸素富化を可能にするために、室外冷媒ユニットに酸素富化ユニットを組み合わせて室外ユニットを構成しているが、さらに、室内の湿度調節を可能にするために、加湿ユニットを組み合わせてもよい。このような場合においても、酸素富化ユニットの設置場所の制約がないため、図５に示される空気調和装置２０１のように、室外冷媒ユニット４の上側に加湿ユニット２０５を設置し、加湿ユニット２０５の上側に第１実施形態と同様の酸素富化ユニット６を設置した室外ユニット２０３とすることもできる。
【００３０】
また、加湿ユニット内に設置スペースがあれば、加湿ユニット内に酸素富化ユニットを内蔵させてもよい。この場合においても、酸素富化ユニットの設置場所の制約がないため、容易に加湿ユニット内に酸素富化ユニットの構成機器を配置することができる。
【産業上の利用可能性】
【００３１】
本発明を利用すれば、酸素富化膜を有する酸素富化装置及びそれを備えた空気調和装置において、ファンによる気流を利用することなく、酸素富化膜の１次側空間内の空気置換を可能にすることができる。
【図面の簡単な説明】
【００３２】
【図１】本発明の第１実施形態が採用された空気調和装置の外観図である。
【図２】本発明の第１実施形態が採用された空気調和装置の室内ユニット内及び室外ユニット内の各機器の配置を示す図である。
【図３】本発明の第１実施形態が採用された空気調和装置の冷媒回路の概略構成図及び酸素富化ユニットの概略構成図である。
【図４】本発明の第２実施形態が採用された空気調和装置の室外ユニット内の各機器の配置を示す図である。
【図５】本発明の他の実施形態が採用された空気調和装置の外観図である。
【符号の説明】
【００３３】
１、１０１、２０１  空気調和装置
２  室内ユニット
４  室外冷媒ユニット
６、１０６  酸素富化ユニット（酸素富化装置）
７  冷媒配管
９  酸素富化空気供給管
６１  酸素富化膜モジュール
６２  モジュールケーシング（ケーシング）
６３  酸素富化膜
６５  真空ポンプ（減圧ポンプ）
Ｓ１  １次側空間
Ｓ２  ２次側空間
【図１】
2005230590.tif 000003
【図２】
2005230590.tif 000004
【図３】
2005230590.tif 000005
【図４】
2005230590.tif 000006
【図５】
2005230590.tif 000007